【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
電子部品を内蔵する電子機器であって、
前記電子部品の動作に伴う温度上昇が当該電子機器の温度上昇に寄与する度合いを、前記電子部品が前記電子機器に実装される位置に基づいて記憶する記憶手段と、
前記電子部品を動作させたときの消費電流値を取得する消費電流値取得手段と、
前記消費電流値取得手段によって取得された消費電流値と前記記憶手段によって記憶されている度合いとに基づいて、当該電子機器の温度が所定値以上上がるか否かを判断する判断手段と、
前記判断手段によって当該電子機器の温度が所定値以上上がると判断されると、前記電子部品の消費電流値を制御する制御手段と、
を備えることを特徴とする電子機器。
【請求項２】
前記消費電流値取得手段は、前記電子部品を動作させたときの単位時間当たりの動作状況から前記消費電流値を取得する
ことを特徴とする請求項１に記載の電子機器。
【請求項３】
前記電子部品は、外部から当該電子機器へ電力を供給するための部品であり、
前記制御手段は、前記判断手段により当該電子機器の温度が所定値以上上がると判断されると、当該電子部品による電流の消費を止めるよう制御する
ことを特徴とする、請求項１又は２に記載の電子機器。
【請求項４】
前記電子部品は照明部品であり、
前記制御手段は、前記判断手段により当該電子機器の温度が所定値以上上がると判断されると、当該照明部品の消費電流を減らすように制御する
ことを特徴とする、請求項１又は２に記載の電子機器。
【請求項５】
前記電子部品は当該電子機器に複数備えられており、
前記記憶手段は、動作に伴う温度上昇が当該電子機器の温度上昇に寄与する度合いを、前記複数の電子部品の実装位置関係に基づいて記憶する
ことを特徴とする、請求項１乃至４の何れか１項に記載の電子機器。
【請求項６】
前記判断手段は、前記消費電流値取得手段によって取得された消費電流値に前記記憶手段によって記憶されている度合いを積算し、当該積算値を前記電子部品が消費する電力により発生する熱とみなすことにより、当該電子機器の温度が所定値以上上がるか否かを判断することを特徴とする請求項１乃至５の何れか１項に記載の電子機器。
【請求項７】
電子部品を内蔵する電子機器にて実行される消費電流制御方法であって、
前記電子部品の動作に伴う温度上昇が当該電子機器の温度上昇に寄与する度合いを、前記電子部品が前記電子機器に実装される位置に基づいて記憶する記憶ステップと、
前記電子部品を動作させたときの消費電流値を取得する消費電流値取得ステップと、
前記消費電流値取得ステップにて取得された消費電流値と前記記憶ステップにて記憶された度合いとに基づいて、当該電子機器の温度が所定値以上上がるか否かを判断する判断ステップと、
前記判断ステップにて当該電子機器の温度が所定値以上上がると判断されると、前記電子部品の消費電流値を制御する制御ステップと、
からなることを特徴とする消費電流制御方法。
【請求項８】
コンピュータを、
当該コンピュータが内蔵する電子部品の動作に伴う温度上昇が当該コンピュータの温度上昇に寄与する度合いを、前記電子部品が当該コンピュータに実装される位置に基づいて記憶する記憶手段、
前記電子部品を動作させたときの消費電流値を取得する消費電流値取得手段、
前記消費電流値取得手段によって取得された消費電流値と前記記憶手段によって記憶されている度合いとに基づいて、当該コンピュータの温度が所定値以上上がるか否かを判断する判断手段、
前記判断手段によって当該コンピュータの温度が所定値以上上がると判断されると、前記電子部品の消費電流値を制御する制御手段、
として機能させることを特徴とする消費電流制御プログラム。
【手続補正２】
【補正対象書類名】明細書
【補正対象項目名】０００５
【補正方法】変更
【補正の内容】
【０００５】
上記目的を達成するため、請求項１記載の電子機器は、
電子部品を内蔵する電子機器であって、
前記電子部品の動作に伴う温度上昇が当該電子機器の温度上昇に寄与する度合いを、前記電子部品が前記電子機器に実装される位置に基づいて記憶する記憶手段と、
前記電子部品を動作させたときの消費電流値を取得する消費電流値取得手段と、
前記消費電流値取得手段によって取得された消費電流値と前記記憶手段によって記憶されている度合いとに基づいて、当該電子機器の温度が所定値以上上がるか否かを判断する判断手段と、
前記判断手段によって当該電子機器の温度が所定値以上上がると判断されると、前記電子部品の消費電流値を制御する制御手段と、
を備えることを特徴とする。
【手続補正３】
【補正対象書類名】明細書
【補正対象項目名】０００７
【補正方法】変更
【補正の内容】
【０００７】
また、請求項３記載の発明は、上記請求項１又は２に記載の発明において、
前記電子部品は、外部から当該電子機器へ電力を供給するための部品であり、
前記制御手段は、前記判断手段により当該電子機器の温度が所定値以上上がると判断されると、当該電子部品による電流の消費を止めるよう制御することを特徴とする。
【手続補正４】
【補正対象書類名】明細書
【補正対象項目名】０００８
【補正方法】変更
【補正の内容】
【０００８】
また、請求項４記載の発明は、上記請求項１又は２に記載の発明において、
前記電子部品は照明部品であり、
前記制御手段は、前記判断手段により当該電子機器の温度が所定値以上上がると判断されると、当該照明部品の消費電流を減らすように制御することを特徴とする。
【手続補正５】
【補正対象書類名】明細書
【補正対象項目名】０００９
【補正方法】変更
【補正の内容】
【０００９】
また、請求項５記載の発明は、上記請求項１乃至４の何れか１項に記載の発明において、
前記電子部品は当該電子機器に複数備えられており、
前記記憶手段は、動作に伴う温度上昇が当該電子機器の温度上昇に寄与する度合いを、前記複数の電子部品の実装位置関係に基づいて記憶することを特徴とする。
【手続補正６】
【補正対象書類名】明細書
【補正対象項目名】００１０
【補正方法】変更
【補正の内容】
【００１０】
また、請求項６記載の発明は、上記請求項１乃至５の何れか１項に記載の発明において、
前記判断手段は、前記消費電流値取得手段によって取得された消費電流値に前記記憶手段によって記憶されている度合いを積算し、当該積算値を前記電子部品が消費する電力により発生する熱とみなすことにより、当該電子機器の温度が所定値以上上がるか否かを判断することを特徴とする。
【手続補正７】
【補正対象書類名】明細書
【補正対象項目名】００１１
【補正方法】変更
【補正の内容】
【００１１】
上記目的を達成するため、請求項７記載の消費電流制御方法は、
電子部品を内蔵する電子機器にて実行される消費電流制御方法であって、
前記電子部品の動作に伴う温度上昇が当該電子機器の温度上昇に寄与する度合いを、前記電子部品が前記電子機器に実装される位置に基づいて記憶する記憶ステップと、
前記電子部品を動作させたときの消費電流値を取得する消費電流値取得ステップと、
前記消費電流値取得ステップにて取得された消費電流値と前記記憶ステップにて記憶された度合いとに基づいて、当該電子機器の温度が所定値以上上がるか否かを判断する判断ステップと、
前記判断ステップにて当該電子機器の温度が所定値以上上がると判断されると、前記電子部品の消費電流値を制御する制御ステップと、
からなることを特徴とする。
【手続補正８】
【補正対象書類名】明細書
【補正対象項目名】００１２
【補正方法】変更
【補正の内容】
【００１２】
上記目的を達成するため、請求項８記載の消費電流制御プログラムは、コンピュータを、
当該コンピュータが内蔵する電子部品の動作に伴う温度上昇が当該コンピュータの温度上昇に寄与する度合いを、前記電子部品が当該コンピュータに実装される位置に基づいて記憶する記憶手段、
前記電子部品を動作させたときの消費電流値を取得する消費電流値取得手段、
前記消費電流値取得手段によって取得された消費電流値と前記記憶手段によって記憶されている度合いとに基づいて、当該コンピュータの温度が所定値以上上がるか否かを判断する判断手段、
前記判断手段によって当該コンピュータの温度が所定値以上上がると判断されると、前記電子部品の消費電流値を制御する制御手段、
として機能させることを特徴とする。
【手続補正９】
【補正対象書類名】明細書
【補正対象項目名】００１３
【補正方法】変更
【補正の内容】
【００１３】
本発明によれば、電子デバイスにおける消費電流を適切になるように管理し、且つ、電子デバイスからの発熱を抑えることができる。